(57)【要約】【課題】夜間の建物の入口などで、不審な行動をした人のみライトを点灯し警告を行うとともに、不審者であると判断した場合には、直接警備会社に通報する防犯システムを提供する。【解決手段】特定の感知エリア１２内において、人ｔの体温を感知する赤外線センサ２ａを備えたセンサＢＯＸ２と、赤外線センサ２ａからの感知信号を受信して点灯するライト３ａを備えたライトＢＯＸ３と、赤外線センサ２ａおよびライト３ａを制御する制御装置４と、制御装置４により外部へ通報する通報手段５とを有し、制御装置４は、赤外線センサ２ａの感知エリア１２内において、設定時間を超えて人ｔの体温を感知した際に、赤外線センサ２ａの感知信号をライトＢＯＸ３に送信し、ライト３ａを点灯させるとともに、ライト３ａの点灯が設定された回数行われた際に、通報手段５を介して自動的に警備会社に通報する。【選択図】図１
2012053658.tif 000002
【特許請求の範囲】
【請求項１】
特定の感知エリア内において、人の体温を感知する赤外線センサを備えたセンサＢＯＸと、上記赤外線センサからの感知信号を受信して点灯するライトを備えたライトＢＯＸと、上記赤外線センサおよび上記ライトを制御する制御装置と、上記制御装置により外部へ通報する通報手段とを有し、
上記制御装置は、上記赤外線センサの感知エリア内において、設定時間を超えて人の体温を感知した際に、上記赤外線センサの感知信号を上記ライトＢＯＸに送信し、上記ライトを点灯させるとともに、上記ライトの点灯が設定された回数行われた際に、上記通報手段を介して自動的に警備会社に通報することを特徴とする防犯システム。
【請求項２】
上記赤外線センサおよび上記ライトは、少なくとも一つ以上のモータにより左右回転および上下動することを特徴とする請求項１に記載の防犯システム。
【請求項３】
上記赤外線センサを左右回転および上下動させる上記モータと、上記ライトを左右回転および上下動させる上記モータとが同期されていることを特徴とする請求項２に記載の防犯システム。
【発明の詳細な説明】
【技術分野】
【０００１】
本発明は、建物の入口付近に設置され、夜間において人の不審な行動を感知する防犯システムに関するものである。
【背景技術】
【０００２】
昨今、ピッキングやサムターン回しによる空き巣、または不法侵入などの被害が急増している。この背景には、景気の回復が未だに見えない現状と、さらには日本に進出してくる外国人窃盗団の増加がある。
【０００３】
また、これらの犯行は、人の行動が極端に少なくなる夜間に行われることが多いため、大手スーパーやデパートなどでは、営業を行っていない夜間の防犯対策として、店舗に不審者が侵入した際に、監視用カメラや赤外線センサなどによって、いち早く警備会社などに通報するシステムが導入されている。
【０００４】
しかしながら、小規模な店舗や個人の住宅などにおいては、防犯システムを導入する費用が高額であり、また管理費用も嵩むために、なかなか導入に踏み切れないのが現状である。そのため、小規模な店舗や個人の住宅において、空き巣や住居侵入などの被害が後を絶たず、甚大な被害をもたらしている。
【０００５】
この現状を踏まえ最近では、小規模な店舗や個人の住宅においても、防犯意識が高まり、簡易的な防犯システムを導入するところが増えてきている。この簡易的な防犯システムは、玄関や庭などにセンサを設置して、このセンサが人の近接を感知しライトが点灯するもので、導入費用や管理費用などが、比較的安価に押さえられる。
【発明の概要】
【発明が解決しようとする課題】
【０００６】
ところが、小規模な店舗や個人の住宅に導入されている簡易的な防犯システムは、センサの感知範囲に人が侵入しただけで、ライトが点灯して警告するシステムが殆どで、単に住宅の前を通過しただけで、ライトが点灯するため、不審者であるか通行人であるかを区別することができず、防犯の効果が低いと言う問題がある。
【０００７】
また、センサが感知するものが人間だけでなく、猫や犬などの小動物が侵入してもセンサが反応してライトを点灯させてしまうため、猫や犬などを多く飼っている地域の場合には、頻繁にライトが点灯し煩わしさがあるとともに、実際に不審者が侵入したとしても、見逃してしまう怖れがあるという問題もある。
【０００８】
本発明は、かかる事情に鑑みてなされたもので、夜間の建物の入口などにおいて、不審な行動をした人のみライトを点灯し警告を行うとともに、不審者であると判断した場合には、直接警備会社に通報する防犯システムを提供することを課題とするものである。
【課題を解決するための手段】
【０００９】
上記課題を解決するために、請求項１に記載の発明は、特定の感知エリア内において人の体温を感知する赤外線センサを備えたセンサＢＯＸと、上記赤外線センサからの感知信号を受信して点灯するライトを備えたライトＢＯＸと、上記赤外線センサおよび上記ライトを制御する制御装置と、上記制御装置により外部へ通報する通報手段とを有し、上記制御装置は、上記赤外線センサの感知エリア内において、設定時間を超えて人の体温を感知した際に、上記赤外線センサの感知信号を上記ライトＢＯＸに送信し、上記ライトを点灯させるとともに、上記ライトの点灯が設定された回数行われた際に、上記通報手段を介して自動的に警備会社に通報することを特徴とするものである。
【００１０】
また、請求項２に記載の発明は、請求項１に記載の発明において、上記赤外線センサおよび上記ライトは、少なくとも一つ以上のモータにより左右回転および上下動することを特徴とするものである。
【００１１】
そして、請求項３に記載の発明は、請求項２に記載の発明において、上記赤外線センサを左右回転および上下動させる上記モータと、上記ライトを左右回転および上下動させる上記モータとが同期されていることを特徴とするものである。
【発明の効果】
【００１２】
請求項１〜３に記載の本発明によれば、特定の感知エリア内において人の体温を感知する赤外線センサを備えたセンサＢＯＸと、上記赤外線センサからの感知信号を受信して点灯するライトを備えたライトＢＯＸと、上記赤外線センサおよび上記ライトを制御する制御装置とを有し、上記赤外線センサの感知エリア内において、当該赤外線センサが設定時間を超えて人の体温を感知した際に、制御装置を介して、ライトＢＯＸに上記赤外線センサの感知信号を送信するとともに、上記ライトを点灯させるため、人が単に赤外線センサの感知エリア内を通過した場合には、上記ライトを点灯させないとともに、当該感知エリア内において、店舗の入口や住居内の様子を伺ったりと不審な行動した人の場合のみ、上記ライトを点灯して警告を行うことができる。これにより、防犯の効果が向上して、店舗や住居を狙った空き巣や不法侵入を抑止することができる。
【００１３】
また、上記制御装置は、上記赤外線センサの感知エリア内において、一定時間人の体温を感知して、上記ライトを点灯させることにより警告を行う際に、この点灯による警告を複数回行った後に、上記制御装置を介して上記通報手段により、外部の警備会社に直接連絡することができるため、上記ライトの点灯により、不審者に警告するだけでなく、外部の警備会社から警備員が現場に駆けつけることができる。この結果、より確実に空き巣や住居侵入などの被害を減らすことができる。
【００１４】
請求項２に記載の発明によれば、上記赤外線センサおよび上記ライトが、モータによって、左右回転および上下動するため、広範囲に上記赤外線センサの感知エリアおよび上記ライトの照射エリアを設定することができる。これにより、建物の入口付近だけでなく、建物の周辺で、不審な行動をする人に対しても警告を行うことができる。
【００１５】
請求項３に記載の発明によれば、上記赤外線センサを左右回転および上下動させる上記モータと、上記ライトを左右回転および上下動させる上記モータとが同期しているため、上記赤外線センサの感知エリアにおいて、不審人物を追尾するように上記ライトを照射して、不審人物に警告を与えることができる。この結果、防犯効果の高い警告を行うことができる。
【図面の簡単な説明】
【００１６】
【図１】本発明の防犯システム一実施形態を示す概略図である。
【図２】本発明の防犯システム一実施形態のセンサＢＯＸを示し、（ａ）は正面図、（ｂ）は右側面図である。
【図３】本発明の防犯システム一実施形態のライトＢＯＸを示し、（ａ）は正面図、（ｂ）は右側面図である。
【図４】本発明の防犯システムの一実施形態を説明するフローチャート図である。
【図５】（ａ）〜（ｃ）は、本発明の防犯システムの一実施形態を説明する斜視図である。
【発明を実施するための形態】
【００１７】
図１に示すように、本発明の防犯システム１の一実施形態は、赤外線センサ２ａを備えたセンサＢＯＸ２と、赤外線センサ２ａからの感知信号を受信して点灯するライト３ａを備えたライトＢＯＸ３と、赤外線センサ２ａにより感知した感知信号およびライト３ａの点灯を制御する制御装置４と、制御装置４により外部へ通報する通報手段５とを取付台７に取り付けて概略構成され、店舗や住居などの入口近傍に設置される。
【００１８】
ここで、センサＢＯＸ２は、図２に示すように、ドーム状の円頭部を有する円筒状のカバ−部２ｂ内に、赤外線センサ２ａが内設されているとともに、円周部に赤外線センサ２ａのセンサ部が露出する角状の開口部２ｃが形成されている。また、カバー部２ｂの円周部には、開口部２ｃに対して９０度の位置に支持部２ｄが対向して形成されている。この支持部２ｄは、略Ｕ字状の支持部材２ｇの支持板２ｅ上部の中央部に回動自在に嵌合されている。また支持部材２ｇは、各々の支持板２ｅが長方形の平板により形成されているとともに、下部の他端側が、平板状の底板２ｆと一体的に接続されている。
【００１９】
また、カバー部２ｂの開口された下方には、モータ６ａが支持部材２ｇの底板２ｆに載置されている。このモータ６ａは、ステッピングモータが用いられている。またモータ６ａは、その主軸の長手方向が、カバ−部２ａの中心を通る位置に配置されているとともに、カバー部２ｂの支持部２ｄの支軸の方向と平行に配置されている。また、上記主軸の径方向の中心が、カバー部２ｂの開口側の底辺と平行に配置されている。そして、上記支軸の先端側にギア８が設けられている。
【００２０】
さらに、カバー部２ｂの下部には、内設ギア９が設けられている。この内設ギア９は、リング状に形成されているとともに、内周面にギア歯が周設されてる。また内設ギア９は、モータ６ａのギア８と噛み合う位置に配置されているとともに、その外周部がカバー部２ｂの内側面に固着されている。
【００２１】
また、支持部材２ｇの底板２ｆの下面側に、モータ６ｂが配設されている。このモータ６ｂは、ステッピングモータが用いられている。またモータ６ｂは、取付台７の下面側に取り付けられているとともに、その主軸が取付台７の上面側に突出し、支持部材２ｇの底板２ｆの中心部に固着されている。
【００２２】
そして、ライトＢＯＸ３は、図３に示すように、ドーム状の円頭部を有する円筒状のカバ−部３ｂ内に、ライト３ａが内設されているとともに、円周部にライト３ａの照射部が露出する円状の開口部３ｃが形成されている。また、カバー部３ｂの円周部には、開口部３ｃに対して９０度の位置に支持部３ｄが対向して形成されている。この支持部３ｄは、略Ｕ字状の支持部材３ｇの支持板３ｅ上部の中央部に回動自在に嵌合されている。また支持部材３ｇは、各々の支持板３ｅが、長方形の平板により形成されているとともに、長手方向の下部の他端側が、平板状の底板３ｆと一体的に接続されている。
【００２３】
また、カバー部３ｂの開口された下方には、モータ６ｃが支持部材３ｇの底板３ｆに載置されている。このモータ６ｃは、ステッピングモータが用いられている。またモータ６ｃは、その主軸の長手方向が、カバ−部３ａの中心を通る位置に配置されているとともに、カバー部３ｂの支持部３ｄの支軸の方向と平行に配置されている。また、上記主軸の径方向の中心が、カバー部３ｂの開口側の底辺と平行に配置されている。そして、上記支軸の先端側にギア１０が設けられている。
【００２４】
さらに、カバー部３ｂの下部には、内設ギア１１が設けられている。この内設ギア１１は、リング状に形成されているとともに、内周面にギア歯が周設されてる。また内設ギア１１は、モータ６ｃのギア１０と噛み合う位置に配置されているとともに、その外周部がカバー部３ｂの内側面に固着されている。
【００２５】
また、支持部材３ｇの底板３ｆの下面側に、モータ６ｄが配設されている。このモータ６ｄは、ステッピングモータが用いられている。またモータ６ｄは、取付台７の下面側に取り付けられているとともに、その主軸が取付台７の上面側に突出し、支持部材３ｇの底板３ｆの中心部に固着されている。
【００２６】
そして、センサＢＯＸ２に備えられたモータ６ａとライトＢＯＸ３に備えられたモータ６ｃとが同期して、同一回転をするとともに、センサＢＯＸ２に備えられたモータ６ｂとライトＢＯＸ３に備えられたモータ６ｄとが同期して、同一回転をするように電気配線されている。
【００２７】
さらに、制御装置４は、センサＢＯＸ２とライトＢＯＸ３と共に、取付台７に載置されている。この制御装置４は、センサＢＯＸ２の赤外線センサ２ａが、感知エリア内において、人の体温を感知すると、その感知信号がケーブルを介して伝達するとともに、タイマによって赤外線センサ２ａのＯＮ／ＯＦＦを制御する。また、赤外線センサの感知エリア内において、一定時間人の体温を感知した場合には、ライトＢＯＸ３に制御装置４からケーブルを介して感知信号が伝達され、ライト３ａの点灯のＯＮ／ＯＦＦを制御する。
【００２８】
また、通報手段５は、取付台７の下面側に取り付けられている。この通報手段５は、電話回線を介して、直接警備会社に不審者が赤外線センサの感知エリア内にいることを知らせる。また、上記警備会社への通報は、制御装置４によって行われる。この制御装置４では、赤外線センサ２ａの感知エリア内において、人の体温を一定時間感知した場合に、ライトＢＯＸ３のライト３ａの点灯させて警告を行い、この警告が複数回行われたときに、直接警備会社に不審者が、店舗や住居の入口付近に居ることを知らせるように制御される。
【００２９】
以上の構成による防犯システムによって、店舗や住居の防犯を行う方法を図４のフローチャート図、および図１〜図３および図５を用いて説明する。
【００３０】
まず、図１に示すように、店舗または住居の入口の扉ｋの上方近傍に防犯システム１を設置する。そして、閉店後や夜間など人の出入りがなくなった時に、防犯システム１を作動させる。この作動により、センサＢＯＸ２は、モータ６ａおよびモータ６ｂにより、左右回転および上下動する。また、ライトＢＯＸ３は、モータ６ｃおよびモータ６ｄにより、左右回転および上下動する。この際、センサＢＯＸ２に備えられたモータ６ａと、ライトＢＯＸ３に備えられたモータ６ｃ、およびセンサＢＯＸ２に備えられたモータ６ｂと、ライトＢＯＸ３に備えられたモータ６ｄは、互いに同期されているため、同じ動作を繰り返し、感知エリア１２内をサーチする。
【００３１】
また、上記センサＢＯＸ２の詳しく動作は、図２に示すモータ６ｂが左周りまたは右回りに回転することにより、支持部材２ｇが左右に回転して、赤外線センサ２ａを内設しているカバー部２ｂも左右に回転する。そして、モータ６ａが左周りまたは右回りに回転することにより、このモータ６ａの主軸に設けられたギア８に噛み合っている内設ギア９が回転し、カバー部２ｂが支持部材２ｇの支持板２ｅの支持部２ｄを支点として前後に回動し、赤外線センサのセンサ部が上下に振られる。このように、センサＢＯＸ２の赤外センサが左右回転および上下動することにより、図５に示すように、広範囲に亘って赤外線センサ２ａの感知エリア１２を得ることができる。
なお、ライトＢＯＸ３においても、上述したセンサＢＯＸ２と同じ動作が行われ、図５に示すように、広範囲に亘ってライト３ａの照射エリア１３を得ることができる。る。
【００３２】
次いで、図５（ａ）に示すように、防犯システム１の赤外線センサ２ａの感知エリア１２内を人ｔが通過した場合には、図４のフローチャート図に示すように、赤外線センサ２ａが、人ｔの体温を感知するとともに、その情報を感知信号として制御装置４に伝送する。次いで、制御装置４が赤外線センサ２ａを１分間停止させ、１分経過後に再び赤外線センサ２ａを作動させる。このときに、感知エリア１２内において、人ｔの体温を感知しなかった場合には、１分前に赤外線センサ２ａが感知した人ｔは、単に感知エリア１２を通過しただけだと制御装置４が判断し、ライトＢＯＸ３のライト３ａを点灯させない。
【００３３】
また、図５（ｂ）に示すように、人ｔが１分間以上感知エリア１２内に留まっていた場合には、図４のフローチャート図に示すように、感知エリア１２内において、人ｔの体温を赤外線センサが感知し、制御装置４により赤外線センサ２ａを１分間停止させ、１分経過後に再び赤外線センサ２ａを作動させ、その際に、感知エリア１２内において、人ｔの体温を感知すると制御装置４は、感知エリア１２内に１分間人ｔが留まっていたと判断し、ライトＢＯＸ３のライト３ａを点灯させて警告する。
【００３４】
さらに、不審者に対して、ライト３ａを点灯した後、図４のフローチャート図に示すように、再度赤外線センサ２ａの反応により感知エリア１２内に人ｔの体温を感知した場合場合には、制御装置４によりカウントされる。そして、再び赤外線センサの感知エリア１２内において、人ｔの体温の感知およびライト３ａの点灯による警告をする。警告後、まだ感知エリア１２内に不審者が留まっていた場合は、制御装置４によりカウントを行う。このカウントが１０回行われると、制御装置４が通報手段５を介して、不審者がいることを直接警備会社に通報し、その通報により警備員が防犯システム１を設置した店舗または儒教に駆けつける。
【００３５】
上述の実施形態による防犯システムによれば、赤外線センサ２ａを備えたセンサＢＯＸ２と、感知信号を受信して点灯するライト３ａを備えたライトＢＯＸ３と、赤外線センサ２ａおよびライト３ａを制御する制御装置４とを有し、赤外線センサ２ａの感知エリア１２内において、最初に赤外線センサ２ａが感知した時点から、設定した１分間後に再び人ｔの体温を感知した場合に、その情報が感知信号として制御装置４により処理するとともに、ライトＢＯＸ３に送信してライト３ａを点灯させるため、人ｔが単に赤外線センサ２ａの感知エリア１２内を通過した場合には、ライト３ａを点灯させないとともに、感知エリア１２内において、店舗の入口や住居内の様子を伺ったりと不審な行動した人ｔの場合のみ、ライト３ａを点灯して警告を行うことができる。これにより、防犯の効果を向上させることでき、店舗や住居を狙った空き巣や不法侵入を抑止することができる。
【００３６】
また、制御装置４は、赤外線センサ２ａの感知エリア１２内において、最初に感知した時点から設定した１分間後に再び人ｔの体温を感知し、ライト３ａを点灯させて警告を行う際に、この点灯による警告を複数回行った後に、制御装置４を介して通報手段５により、外部の警備会社に直接連絡することができるため、ライト３ａの点灯により、不審な人ｔに警告するだけでなく、外部の警備会社から警備員が現場に駆けつけることができる。この結果、より確実に空き巣や住居侵入などの被害を減らすことができる。
【００３７】
そして、センサＢＯＸに内設された赤外線センサ２ａが、モータ６ａおよび６ｂによって左右回転および上下動するため、広範囲に赤外線センサ２ａの感知エリア１２を設定することができる。また、ライトＢＯＸ３に内設されたライト３ａが、モータ６ｃおよび６ｄによって左右回転および上下動するため、広範囲にライト３ａの照射エリア１３を設定することができる。これにより、建物の入口付近だけでなく、建物の周辺で、不審な行動をする人ｔに対しても警告を行うことができる。
【００３８】
さらに、センサＢＯＸ２に備えられたモータ６ａ、６ｂと、ライトＢＯＸ３に備えられたモータ６ｃ、６ｄとが同期しているため、赤外線センサ２ａの感知エリア１２において、不審人物を追尾するようにライト３ａを照射して、不審人物の行動に合わせライト３ａを照射して警告することができる。この結果、防犯効果の高い警告を行うことができる。
【００３９】
なお、上記実施の形態において、制御装置４をセンサＢＯＸ２およびライトＢＯＸ３と別体として、取付台７に載置した場合のみ説明したが、これに限定されるものでなく、例えば、センサＢＯＸ２またはライトＢＯＸ３に内設させても対応可能である。また、通報手段を取付台７の下面側に配置した場合のみ説明したが、これに限定されるものでなく、例えば、制御装置４に内設しても、またセンサＢＯＸ２あるいはライトＢＯＸ３に内設しても対応可能である。
【産業上の利用可能性】
【００４０】
店舗や住居の防犯に利用することができる。
【符号の説明】
【００４１】
１  防犯システム
２  センサＢＯＸ
２ａ  赤外線センサ
３  ライトＢＯＸ
３ａ  ライト
４  制御装置
５  通報手段
６  モータ
７  取付台
ｔ  人
【図１】
2012053658.tif 000003
【図２】
2012053658.tif 000004
【図３】
2012053658.tif 000005
【図４】
2012053658.tif 000006
【図５】
2012053658.tif 000007